(57)【要約】【課題】  装置のコストアップを抑えて、高速加熱及び冷却が可能なプラスチック光学部品のプレス成形型およびそのプレス成形型を用いたプラスチック光学部品の製造方法を提供する。【解決手段】  成形素材をプレスするための上型と、下型と、胴型と、前記胴型を冷却するための胴型冷却手段とを有するプレス成形型において、前記胴型は外周面の少なくとも一部分にツバを有し、前記胴型冷却手段は前記胴型の動作によって前記ツバと当接して、前記胴型を冷却するように配置されているプラスチック光学部品のプレス成形型およびそのプレス成形型を用いたプラスチック光学部品の製造方法を提供する。【選択図】  図１
2014040060.tif 000002
【特許請求の範囲】
【請求項１】
成形素材をプレスするための上型と、下型と、胴型と、前記胴型を冷却するための胴型冷却手段とを有するプレス成形型において、前記胴型は外周面の少なくとも一部分にツバを有し、前記胴型冷却手段は前記胴型の動作によって前記ツバと当接して、前記胴型を冷却するように配置されていることを特徴とするプラスチック光学部品のプレス成形型。
【請求項２】
前記胴型冷却手段は、前記胴型のツバの下方に設けられていることを特徴とする請求項１記載のプラスチック光学部品のプレス成形型。
【請求項３】
前記胴型冷却手段は、成形素材のガラス転移温度以下に保持されていることを特徴とする請求項１または２記載のプラスチック光学部品のプレス成形型。
【請求項４】
前記胴型のツバには、胴型を加熱するための加熱手段が設けられていることを特徴とする請求項１記載のプラスチック光学部品のプレス成形型。
【請求項５】
前記胴型のツバの上方には、前記胴型の動作によって前記胴型のツバまたは前記加熱手段と当接し、前記胴型を加熱するための胴型加熱ユニットが設けられていることを特徴とする請求項１または４に記載のプラスチック光学部品のプレス成形型。
【請求項６】
成形素材をプレスするための上型と、下型と、外周面の少なくとも一部分にツバを有する胴型と、前記胴型を冷却するための胴型冷却手段とを有するプレス成形型を用いてプラスチック光学部品を成形する方法であって、加熱された成形素材を上型と下型と胴型の中に配置する型閉じ動作を行う工程と、前記胴型を動作させて前記ツバを前記胴型冷却手段に当接させて前記胴型を冷却すると共に、前記ツバに設けられた加熱手段の出力制御により、前記胴型の温度制御を行う工程を有することを特徴とするプラスチック光学部品の製造方法。
【請求項７】
前記胴型冷却手段は、前記胴型を下降させて型閉じ動作をしたときに、前記ツバに当接することを特徴とする請求項６記載のプラスチック光学部品の製造方法。
【発明の詳細な説明】
【技術分野】
【０００１】
本発明は、レンズ等のプラスチック光学部品のプレス成形型及びそれを用いたプラスチック光学部品の製造方法に関するものである。
【背景技術】
【０００２】
プラスチックレンズを製造する方法の一つとして、プレス成形が一般的に行われている。プレス成形のプロセスは、まず、光学面を有する一対の型（上型、下型）と胴型を用意する。上型、下型及び胴型は成形素材のガラス転移温度以上まで事前に加熱されている。次に上型、下型の間に成形素材が配置され、胴型に対して、上型、下型を摺動させることでプレスが行われる。プレスにより上型、下型の成形型の形状が成形素材に転写されるのと同時に、成形型及び成形素材はガラス転移温度以下まで冷却され、成形素材は固化させられる。最後に再び胴型に対し、上型、下型を摺動させて型開きが行われることで、成形品が取り出される。
【０００３】
冷却の際、上型、下型及び胴型の温度を制御して、成形素材の急冷や温度分布の発生を抑制することで、密度分布や複屈折といった内部歪のない、高品質のプラスチックレンズが製造される。
【０００４】
このようなプロセスで成形する場合、上型、下型及び胴型を加熱・冷却するために、成形型に温度調整手段を設ける必要がある。例えば特許文献１において、胴型温度調整手段で胴型を挟み、胴型温度調整手段の内部に冷却媒体を流したり、胴型温度調整手段から胴型に冷却媒体を吹き付けたりすることにより、胴型を冷却している。また上型、下型の近辺に加熱手段を設けることで、上型、下型及び胴型が加熱される。
【先行技術文献】
【特許文献】
【０００５】
【特許文献１】特開２００７−２３８３８９号公報
【発明の概要】
【発明が解決しようとする課題】
【０００６】
プレス成形は、成形型の全体を加熱冷却する必要があるため、成形サイクルが長くなりやすく、生産効率が上がらないという問題点を有する。そのため、上型、下型や胴型にそれぞれ温度調整手段を設けて、加熱冷却にかかる時間を短縮することが一般的に行われている。
【０００７】
上型、下型及び胴型に加熱手段を設けることで、成形型全体の高速加熱が可能となるが、それだけでは冷却速度を上げることができない。また上記特許文献１のように胴型に冷却ユニットを設置し、冷却ユニットの内部に冷却媒体を流すことで、冷却速度を多少向上することは可能であるが、成形型の熱容量が冷却ユニット分増加するため、加熱・冷却ともに効率が落ちる欠点を有する。
【０００８】
さらに冷却ユニットを胴型から分離して、冷却時に冷却ユニットを動かして胴型に押し当てることで、成形型の熱容量を増加させず、高速加熱及び高速冷却を行うことが可能になるが、冷却ユニットを動作させる駆動機構が必要になる。そのために、装置のコストアップや、駆動機構を設置するための装置スペースの増加につながるといった課題があった。
【０００９】
本発明は、前記の課題を解決するためになされたものであり、プレス成形型及び装置のコストアップを抑え、かつプレス成形型の高速加熱及び高速冷却が可能なプラスチック光学部品のプレス成形型およびそのプレス成形型を用いたプラスチック光学部品の製造方法を提供するものである。
【課題を解決するための手段】
【００１０】
上記の課題を解決するプラスチック光学部品のプレス成形型は、成形素材をプレスするための上型と、下型と、胴型と、前記胴型を冷却するための胴型冷却手段とを有するプレス成形型において、前記胴型は外周面の少なくとも一部分にツバを有し、前記胴型冷却手段は前記胴型の動作によって前記ツバと当接して、前記胴型を冷却するように配置されていることを特徴とする。
【００１１】
上記の課題を解決するプラスチック光学部品の製造方法は、成形素材をプレスするための上型と、下型と、外周面の少なくとも一部分にツバを有する胴型と、前記胴型を冷却するための胴型冷却手段とを有するプレス成形型を用いてプラスチック光学部品を成形する方法であって、加熱された成形素材を上型と下型と胴型の中に配置する型閉じ動作を行う工程と、前記胴型を動作させて前記ツバを前記胴型冷却手段に当接させて前記胴型を冷却すると共に、前記ツバに設けられた加熱手段の出力制御により、前記胴型の温度制御を行う工程を有することを特徴とする。
【発明の効果】
【００１２】
本発明によれば、プレス成形型及び装置のコストアップを抑え、かつプレス成形型の高速加熱及び高速冷却が可能なプラスチック光学部品のプレス成形型およびそのプレス成形型を用いたプラスチック光学部品の製造方法を提供することができる。
【図面の簡単な説明】
【００１３】
【図１】本発明のプレス成形型の第一の実施形態を表わす概略図である。
【図２】本発明のプラスチック光学部品の製造方法の第一の実施形態を表わす概略図である。
【図３】本発明のプレス成形型の第二の実施形態を表わす概略図である。
【図４】本発明のプレス成形型の第二の実施形態の他の形態を表わす概略図である。
【図５】本発明のプレス成形型の第三の実施形態を表わす概略図である。
【図６】比較例１に係る成形型を表わす概略図である。
【図７】参考例１に係る成形型を表わす概略図である。
【発明を実施するための形態】
【００１４】
以下、本発明を詳細に説明する。
【００１５】
本発明に係るプラスチック光学部品のプレス成形型は、成形素材をプレスするための上型と、下型と、胴型と、前記胴型を冷却するための胴型冷却手段とを有するプレス成形型において、前記胴型は外周面の少なくとも一部分にツバを有し、前記胴型冷却手段は前記胴型の動作によって前記ツバと当接して、前記胴型を冷却するように配置されていることを特徴とする。
【００１６】
以下、本発明に係るプラスチック光学部品のプレス成形型について、図面に基づいて説明する。
【００１７】
図１は、本発明のプラスチック光学部品を製造するプレス成形型の第一の実施形態を表わす概略図である。図中において、１は成形素材、２は上型、３は下型、４は胴型、４ａは胴型のツバ、５は胴型冷却ユニットからなる胴型冷却手段、６は加熱手段、７はバネである。また、２０はプレス成形型である。
【００１８】
本発明に係るプラスチック光学部品のプレス成形型２０は、成形素材１をプレスするための上型２と、下型３と、胴型４と、前記胴型を冷却するための胴型冷却手段５と、加熱手段６及びバネ７を有する。
【００１９】
成形素材１を上型２と下型３、胴型４を用いてプレスし、型の形状を成形素材１に転写する。上型２及び下型３の成形素材１側の面は光学面となっている。胴型４は円筒形状をしており、円筒形状の内部を上型２と下型３が摺動する様に構成されている。胴型４は、外周面の少なくとも一部分にツバ４ａを有している。ツバ４ａは、胴型４の成形面の反対側になる位置に外周面の全周にわたって設けられているのが好ましい。
【００２０】
胴型のツバ４ａには、胴型を加熱するための加熱手段６が設置されている。またツバ４ａの下方には、空間を置いて胴型冷却手段５が配置されている。胴型４が動作して下方に移動すると、胴型冷却手段５はツバ４ａと当接して、胴型４を冷却するように配置されている。胴型冷却手段５で胴型の熱を奪いつつ、加熱手段６で出力制御しながら胴型に適当な熱を与えることで、胴型４の温度制御を行うことが可能になる。
【００２１】
胴型冷却手段５はツバ４ａの形状に合わせてリング形状をしており、ツバ４ａから均一に熱を奪えるように構成されている。胴型冷却手段５の内部には、管路が設けられており、管路内に冷却媒体を流すことで胴型冷却手段５の冷却を行う。胴型冷却手段５は、成形素材のガラス転移温度以下に保持されているのが好ましい。
【００２２】
また胴型冷却手段５のツバ４ａと当接しない位置にはバネ７が取り付けられており、バネ７の他方は図示しない製造装置に固定されている。バネ７は、プレス動作時に胴型が下降してきた際、ツバ４ａの下面と胴型冷却手段５の上面が密着するように長さやバネ定数が調整されている。
【００２３】
上型２と胴型４には、図示しない昇降手段が取り付けられており、上型２と胴型４を一体で上下動させたり、それぞれ独立で動作させたりすることが可能な構成になっている。また上型２には図示しない上型温度制御手段が設けられており、胴型４と独立して上型の温度制御が可能となっている。
【００２４】
下型３は容易に着脱可能な構造になっており、成形開始前に成形素材１を載せた状態でプレス成形型２０に搬入される。そして所定の場所に位置決めされ、図示しない下型固定手段によりプレス動作時や型開き動作時に下型が動かないよう、固定される。下型固定手段には、下型温度制御手段が設けられており、上型２と同じく、胴型４と独立して下型の温度制御が可能となっている。
【００２５】
本発明のプレス成形型によれば、成形型の型閉じ動作で胴型のツバに胴型冷却手段が当接することで、胴型冷却手段に駆動機構を設けることなく胴型の高速冷却が可能になる。また、プレス成形型の型開き動作で胴型のツバから胴型冷却手段が離れることで、上型２と、下型３と、胴型４の必要な部分のみを高速に加熱することができる。
【００２６】
次に、本発明のプラスチック光学部品の製造方法について説明する。
【００２７】
本発明に係るプラスチック光学部品の製造方法は、成形素材をプレスするための上型と、下型と、外周面の少なくとも一部分にツバを有する胴型と、前記胴型を冷却するための胴型冷却手段とを有するプレス成形型を用いてプラスチック光学部品を成形する方法であって、加熱された成形素材を上型と下型と胴型の中に配置する型閉じ動作を行う工程と、前記胴型を動作させて前記ツバを前記胴型冷却手段に当接させて前記胴型を冷却すると共に、前記ツバに設けられた加熱手段の出力制御により、前記胴型の温度制御を行う工程を有することを特徴とする。
【００２８】
図２は、本発明のプラスチック光学部品の製造方法の第一の実施形態を表わす概略図である。図中において、１は成形素材、１０は下型３を加熱する下型加熱手段、１３は下型３を搬送する搬送手段、１４は胴型冷却手段５に接続しており、冷却媒体が流れている冷却媒体管、１５は冷却媒体の温度制御を行うチラーである。
【００２９】
プレス成形型２０の胴型冷却手段５の管路は、冷却媒体管１４に接続しており、内部に冷却媒体が流れている。冷却媒体管１４はチラー１５に接続されており、冷却媒体の温度制御が行われる。またプレスの前工程として、下型加熱手段１０が配置されている。下型３及び成形素材１は、搬送手段１３を用いて下型加熱手段１０からプレス成形型２０に搬送される。
【００３０】
次に、図１および図２により、プレス成形のプロセスについて説明する。
【００３１】
下型３は、下型加熱手段１０にてプレス開始温度に事前に加熱される。プレスプレス成形型２０内の上型２及び胴型４もプレス開始温度に事前に加熱される。事前加熱を完了した下型３に、ガラス転移温度以上まで加熱された成形素材１が置載され、搬送手段１３によりプレス成形型２０に搬送される。
【００３２】
次に、加熱された成形素材１を、上型２と下型３と胴型４の中に配置する型閉じ動作を行う。下型３を図１（ａ）のようにプレス成形型２０内に設置した後、上型２と胴型４を下降させて型閉じ動作を行い、図１（ｂ）に示すように、ツバ４ａを胴型冷却手段５に当接させることで、胴型４の冷却を開始する。
【００３３】
続けて、図１（ｃ）に示すように、上型２を下降させ、成形素材１のプレスを行う。胴型４を動作させてツバ４ａを胴型冷却手段５に当接させて胴型を冷却すると共に、ツバ４ａに設けられた加熱手段６の出力制御により、胴型４の温度制御を行う。冷却中は加熱手段６の出力制御をすることで、冷却速度の制御を行う。
【００３４】
冷却完了後、上型２及び胴型４を上昇させ、成形素材１と上型２及び胴型４を離型させ、型開き動作を行う。最後に下型３から成形素材１を離型させることで、目的の形状に成形された成形素材１からなるプラスチック光学部品を得ることができる。
【００３５】
本発明の製造方法によれば、胴型冷却手段で胴型の熱を奪いつつ、加熱手段で出力制御しながら胴型に適当な熱を与えることで、胴型の温度制御を行うことが可能になる。また、型閉じ動作により胴型のツバが胴型冷却手段に当接することで、胴型冷却手段に駆動機構を設けることなく胴型の高速冷却が可能になる。
【００３６】
本発明において、プラスチック光学部品には、レンズ、フレネルレンズ、プリズム、ミラー等が挙げられる。
【００３７】
次に本発明のプラスチック光学部品を製造するプレス成形型の第二の実施形態について説明する。
【００３８】
図３は、本発明のプレス成形型の第二の実施形態を表わす概略図である。図２と同一部分には同一記号を付し、その詳細な説明については省略する。
【００３９】
本実施形態については、プレス成形型２０を複数個を有し、各胴型冷却手段５の管路に流す冷却媒体を共通化することで、各胴型に高速温度制御の能力を持たせつつ、装置全体のコストアップを抑えた形態について説明する。
【００４０】
本実施形態では、上型２、下型３、胴型４並びに胴型冷却手段等を有する複数個のプレス成形型２０Ａから２０Ｅが配置されている。
【００４１】
プレス成形型２０の胴型冷却手段５の管路は、冷却媒体管１４に繋がっており、内部を冷却媒体が流れている。冷却媒体はすべてのプレス成形型２０で共通であり、冷却媒体管１４は１系統にまとめられる。冷却媒体管１４はチラー１５に接続されており、冷却媒体の温度制御が行われる。その他の構成及びプロセスについては、第一の実施形態と同様である。
【００４２】
図４は、本発明のプレス成形型の第二の実施形態の他の形態を表わす概略図である。図３では、胴型冷却手段５から引き出した冷却媒体管１４を１系統にまとめて、チラー１５に接続しているが、図４に示す様に、冷却媒体管１４を直列で接続しても良い。複数個のプレス成形型２０Ａから２０Ｅの胴型冷却手段を直列で接続し、両端のプレス成形型２０Ａと２０Ｅの胴型冷却手段５の管路を冷却媒体管１４に接続し、冷却媒体管１４は１系統にまとめられてチラー１５に接続されており、冷却媒体の温度制御が行われる。その他の構成及びプロセスについては、第一の実施形態と同様である。
【００４３】
次に本発明のプラスチック光学部品を製造するプレス成形型の第三の実施形態について説明する。
【００４４】
図５は、本発明のプレス成形型の第三の実施形態を表わす概略図である。図１と同一部分には同一記号を付し、その詳細な説明については省略する。
【００４５】
本実施形態は、胴型のツバの上方には、胴型の動作によって胴型のツバまたは加熱手段と当接し、胴型を加熱するための胴型加熱ユニットが設けられていることを特徴とする。ツバ４ａの上方に胴型加熱ユニット８を設けることにより、胴型４の事前加熱にかかる時間を更に短縮することができる。
【００４６】
図５において、胴型加熱ユニット８は、ツバ４ａの形状に合わせてリング形状をしており、ツバ４ａに均一に熱を与えるように構成されている。胴型加熱ユニット８の内部には、管路が設けられており、管路内に加熱媒体を流すことで胴型加熱ユニット８の加熱を行う。
【００４７】
胴型加熱ユニット８の管路は、図示しない加熱媒体管に繋がっている。加熱媒体管は同じく図示しない温度調節機に接続されており、加熱媒体の温度制御が行われる。また胴型加熱ユニット８にはバネ７ａが取り付けられており、バネ７ａの他方は図示しない製造装置に固定されている。バネ７ａは、型開き動作時に胴型が上昇してきた際、ツバ４ａの上面と胴型加熱ユニット８の下面が密着するように長さやバネ定数が調整されている。
【００４８】
その他の構成及びプロセスについては、第一の実施形態と同様である。
【実施例】
【００４９】
次に、本発明の実施例を示し、さらに具体的に説明する。
【００５０】
（実施例１）
本発明のプレス成形型を用いてプラスチック光学部品を製造する具体的な方法について、図１及び図２を用いて説明する。
【００５１】
本実施例で製造するプラスチック光学部品は外径２０ｍｍのレンズであり、部品形状に合わせた上型２、下型３、胴型４を用意した。上型２と胴型４はプレス成形型２０内に組み込まれており、下型３は搬送可能な状態となっている。
【００５２】
成形素材１には光学プラスチック材料であるシクロオレフィンポリマー（ＣＯＰ）を使用した。ＣＯＰのガラス転移温度は１３９℃である。
【００５３】
まず下型３を下型加熱手段１０に設置し、成形素材１のガラス転移温度以上である２５０℃まで事前加熱を行った。事前加熱完了後、下型３にガラス転移温度以上である２６０℃に加熱された成形素材１を載置した。
【００５４】
一方、プレス成形型２０でも、上型２及び胴型４の事前加熱を行った。上型２は成形素材１のガラス転移温度以上である１５０℃まで、図示しない上型温度制御手段を用いて温めた。同様に胴型４でも１５０℃まで、加熱手段６を用いて加熱した。今回用いた加熱手段６の出力は４００Ｗであり、製造する光学部品の大きさやプレス成形型２０の熱容量に合わせて出力を決定した。
【００５５】
上型２、下型３及び胴型４をガラス転移温度以上まで温めることで、面精度を光学面に必要なレベルまで向上させるとともに、内部歪である複屈折を低減することができる。
【００５６】
プレス成形型２０の事前加熱完了後、搬送手段１３を用いて、成形素材１を載置した下型３をプレス成形型２０に搬送した。下型３は図１（ａ）のように設置し、図示しない下型固定手段により位置決め、そして固定を行った。
【００５７】
下型３の設置後、上型２と胴型４を一体で下降させて型閉じ動作を行い、図１（ｂ）に示すように、ツバ４ａを胴型冷却手段５に接触させた。胴型４と胴型冷却手段５の接触により、バネ７が収縮し、バネ７の弾性力により胴型４と胴型冷却手段５が密着することで、胴型４と胴型冷却手段５間の熱伝導がスムーズに行われる。胴型冷却手段５内の管路には、冷却媒体として２５℃の一定温度に制御された水を常時流しており、胴型冷却手段５を常に冷却し続けている。
【００５８】
続けて図１（ｃ）に示すように上型２を下降し、成形素材１を１ｋＮの荷重でプレスして成形を開始した。プレス開始後、またはツバ４ａと胴型冷却手段５の接触後に、加熱手段６の出力制御を行った。胴型冷却手段５に奪われる熱量に対し、加熱手段６からの発熱量を調整することで、胴型４の温度を３０℃／ｍｉｎの一定速度で降下させた。同様に上型２についても、上型温度制御手段を用いて、３０℃／ｍｉｎの速度で冷却を行った。下型３は下型温度制御手段を用いて上型２と同温度になるまで急冷した後、３０℃／ｍｉｎの速度で冷却を行った。冷却中も成形素材１は１ｋＮの一定荷重でプレスし続けた。
【００５９】
一定速度で均一に型全体を冷却することで、成形素材１内の温度分布を小さくして、内部歪である密度分布の発生を抑え、高品質な光学部品を製造することができる。
【００６０】
上型２、下型３及び胴型４の温度が、プレス終了温度である、成形素材１のガラス転移温度以下の１２０℃になった時点で、上型２と胴型４を上昇させ、上型２及び胴型４から成形素材１を離型し、型開き動作を行った。型開き動作後に、上型２と胴型４は、加熱手段６及び上型温度制御手段を用いて、次サイクルの成形に向けて事前加熱を開始した。
【００６１】
成形素材１と下型３を、搬送手段１３を用いてプレス成形型２０から搬出した。最後に下型３から成形素材１を離型させ、目的の光学部品の形状に成形された成形素材１を得た。
【００６２】
成形素材１を図示しない収納容器に移動させた後、下型３を搬送手段１３を用いて下型加熱手段１０まで搬送し、次の成形に向けて事前加熱を開始した。
【００６３】
ここでは、成形素材１の材料にＣＯＰを用いたが、ポリカーボネート（ＰＣ）、ポリメチルメタクリレート（ＰＭＭＡ）、シクロオレフィンコポリマー（ＣＯＣ），メタクリル酸メチル−スチレン共重合体（ＭＳ）等の他の光学プラスチック材料でも良い。使用する材料のガラス転移温度に合わせて、上型２、下型３及び胴型４の事前加熱温度や冷却速度、プレス終了温度、成形素材１の下型載置温度等を調整する。
【００６４】
また図１において、加熱手段６はツバ４ａの上側で、ツバ４ａに対し胴型冷却手段５の反対側に設けてあるが、ツバ４ａの下側に設置しても良い。他にもツバ４ａの内部に設置しても良いし、上記いずれかの組み合わせでも良い。
【００６５】
更に、図１（ｃ）で示すプレス時に、ツバ４ａと胴型冷却手段５を密着させるために、バネ７の代わりに熱伝導性の高いグリスやマットをツバ４ａと胴型冷却手段５の界面に設けても良い。もちろんバネ７と高熱伝導性グリスやマットを併用しても良い。
【００６６】
（実施例２）
本発明のプレス成形型を用いてプラスチック光学部品を製造する方法について、図１及び図３を用いて説明する。
【００６７】
プレス成形型２０の台数は、下型３の事前加熱や、プレス成形型２０でのプレスの１サイクルにかかる時間、搬送手段１３の動作タイミングに合わせて、装置全体のプロセスが最適となるように調整される。
【００６８】
事前加熱を完了し成形素材１を載置した下型３を、搬送手段１３を用いて、上型２及び胴型４の事前加熱が完了している成形型（図３では２０Ｄ）に搬送し、図１（ａ）のように設置した。下型３は図示しない下型固定手段により位置決め、そして固定を行った。
【００６９】
下型３設置後の、プレス成形型２０内のプレス工程については、実施例１と同様である。
【００７０】
下型３をプレス成形型２０に搬送完了した搬送手段１３は、次に成形を完了して型開きした成形型（図３では２０Ａ）に移動し、成形素材１と下型３を、搬送手段１３を用いてプレス成形型２０から搬出した。搬送手段１３は、下型加熱手段１０における下型３の事前加熱、プレス成形型２０の事前加熱及び成形完了後の型開きのタイミングに合わせて、適時下型３の搬入出及び搬送を行う。
【００７１】
（実施例３）
本発明のプレス成形型を用いてプラスチック光学部品を製造する方法について、図１及び図５を用いて説明する。
【００７２】
前サイクルの成形が終了したプレス成形型２０では、上型２及び胴型４の事前加熱を行う。型開き状態のプレス成形型２０では、胴型４のツバ４ａと胴型加熱ユニット８が加熱手段６を介して接している（図５（ａ））。胴型４と胴型加熱ユニット８の接触により、バネ７ａが収縮し、バネ７ａの弾性力により胴型４と胴型加熱ユニット８が密着することで、胴型４と胴型加熱ユニット８間の熱伝導がスムーズに行われる。
【００７３】
まず上型２を成形素材１のガラス転移温度以上である１５０℃まで、図示しない上型温度制御手段を用いて温めた。同様に胴型４も１５０℃まで、加熱手段６及び胴型加熱ユニット８を用いて高速で加熱した。胴型加熱ユニット８内の管路には、加熱媒体として１５０℃の一定温度に制御された水を常時流しており、胴型加熱ユニット８を一定温度に保ち続けている。
【００７４】
プレス成形型２０の事前加熱完了後、搬送手段１３を用いて、成形素材１を載置した下型３をプレス成形型２０に搬送した。下型３は図５（ａ）のように設置し、図示しない下型固定手段により位置決め、そして固定を行った。
【００７５】
下型３の設置後、上型２と胴型４を一体で下降させて型閉じ動作を行い、図５（ｂ）に示すように、ツバ４ａを胴型冷却手段５に接触させた。胴型４と胴型冷却手段５の接触により、バネ７が収縮し、バネ７の弾性力により胴型４と胴型冷却手段５が密着することで、胴型４と胴型冷却手段５間の熱伝導がスムーズに行われる。胴型冷却手段５内の管路には、冷却媒体として２５℃の一定温度に制御された水が常時流れており、胴型冷却手段５を常に冷却し続けた。
【００７６】
続いて図５（ｃ）に示すように上型２を下降し、成形素材１を１ｋＮの荷重でプレスして成形を開始した。その他の製造工程については、第一の実施形態と同様である。
【００７７】
ここでは、胴型加熱ユニット８の温度は、胴型４の加熱完了温度である１５０℃としたが、加熱完了温度よりも高い値に設定しても良い。その場合は、胴型４の温度が加熱完了温度付近に到達した時点で、ツバ４ａが胴型冷却手段５に当接しない程度に、昇降手段を用いて胴型４を下降させ、ツバ４ａを胴型加熱ユニット８から離間させておく。
【００７８】
（比較例１）
図６は、比較例１に係る成形型を表わす概略図である。図６は、従来技術の成形型であり、胴型冷却手段自身を動作させる駆動機構を有さない成形型を示す。図６のように胴型冷却手段に駆動機構を有さない場合、胴型冷却手段５ａと加熱手段６ａは胴型４に対して固定されることになる。そのため胴型４を加熱する際は、胴型冷却手段５ａも併せて加熱する必要があり、本発明に比較して加熱時間が延びてしまう。また冷却の際は、１５０℃まで加熱された胴型冷却手段５自身も冷却する必要があり、同様に本発明に比較して冷却時間が延長される。
【００７９】
（参考例１）
図７は、参考例１に係る成形型を表わす概略図である。図７は、従来技術の成形型であり、胴型冷却手段自身を動作させる駆動機構を有する成形型を示す。図７のように胴型冷却手段５ｂに駆動機構を有する場合、本発明と同等の加熱冷却動作を行うことが可能になる。図７（ａ）は胴型４の加熱時の構成を示しており、図７（ｂ）は冷却時の構成を示している。加熱手段６ｂは胴型４に対して固定されている。胴型冷却手段５ｂは図示しない駆動機構によって、胴型４に対し接触及び離間動作が行われる。加熱時は胴型冷却手段５ｂを胴型４に対して離間させておくことで、胴型４の加熱を効率的に行い、冷却時は胴型冷却手段５ｂを加熱手段６ｂを介して胴型４に接触させることで、冷却を短時間で完了させることができる。
【００８０】
次に、表１は、本発明の実施例、比較例および参考例の場合の、１００℃から１５０℃まで成形型を加熱するのに要した時間（秒）と、１５０℃から１００℃まで温度制御を行わずに成形型を冷却するのに要した時間（秒）を示したものである。
【００８１】
【表１】
2014040060.tif 000003
【００８２】
表１に示すように、胴型冷却手段の駆動機構がない比較例１に対し、各実施例とも、加熱冷却に要する時間をどちらも大幅に短縮することができた。参考例１のように胴型冷却手段が駆動機構を有する場合と比較すると、加熱時間および冷却時間は同等であるが、各実施例では駆動機構が不要な分、装置コストを抑えることができる。
【００８３】
特に実施例２のように複数の成形型を有する装置構成の場合、不要となる駆動機構の数が増えるため、コストの優位差が顕著になる。更に胴型冷却手段内の管路を流れる冷却媒体を共通化することで、装置のコストを抑えることもできる。
【００８４】
以上の実施例で説明した様に、本発明では、従来の型構造と比べて、プレス成形型のプレス動作に対応して、胴型のツバに胴型冷却手段が当接するので、胴型冷却手段に駆動機構を設けることなく、胴型の高速冷却が可能になる。また成形型の型開き動作に対応して、胴型のツバから胴型冷却手段が離れるので、必要な部分（上下型、胴型）のみを高速に加熱することができる。
【００８５】
加えて型開き動作で胴型のツバに胴型加熱ユニットが当接することで、胴型加熱ユニットに駆動機構を設けることなく、胴型を更に高速に加熱することができる。
【００８６】
胴型冷却手段の内部を流れる冷却媒体の温度を制御する装置を別に用意する必要がないので、成形型及び装置のコストアップを抑えることができる。更に成形型を多数個有する装置構成の場合、冷却媒体を共通化して１系統で引き回すことが可能で、装置のコストアップを抑えることができる。
【産業上の利用可能性】
【００８７】
本発明に係るプレス成形型は、コストアップを抑え、かつプレス成形型の高速加熱及び高速冷却が可能なので、レンズ等のプラスチック光学部品の製造方法に利用することができる。
【符号の説明】
【００８８】
１  成形素材
２  上型
３  下型
４  胴型
４ａ  ツバ
５、５ａ、５ｂ  胴型冷却手段
６、６ａ、６ｂ  加熱手段
７、７ａ  バネ
８  胴型加熱ユニット
１０  下型加熱手段
１３  搬送手段
１４  冷却媒体管
１５  チラー
２０  プレス成形型
【図１】
2014040060.tif 000004
【図２】
2014040060.tif 000005
【図３】
2014040060.tif 000006
【図４】
2014040060.tif 000007
【図５】
2014040060.tif 000008
【図６】
2014040060.tif 000009
【図７】
2014040060.tif 000010